(57)【要約】      （修正有）【課題】実接合する床材等の板材において、乾燥収縮による板材間の隙間を小さく抑え、意匠性を悪化させない床材を提供する。【解決手段】床材１は左右の長手部に雄実部２と雌実部３とが形成されており、雄実部２の上部には、板材の表面から雄実４の基端に向かって傾斜する上部傾斜面５と、該上部傾斜面５の下端から張出す張出し部６と、該張出し部６の先端から雄実４の基端に傾斜する下部傾斜面７とが形成されている。雌実部３には雌実９が形成されており、前記上側突条１０には上向傾斜面１２が形成されており、該上向傾斜面１２の下端には上部下向傾斜面１３が形成されており、該上部下向傾斜面１３の下端には天井面１４が形成されており、天井面１４の端部から雌実９に向かって下部下向傾斜面１５とが形成されており、雄実部２と雌実部３を実接合したとき、雄実部２の上部傾斜面５と雌実部３の上部下向傾斜面１３とが当接するように構成されている。【選択図】図１
2007154419.tif 000002
【特許請求の範囲】
【請求項１】
左右の長手部に雄実部と雌実部とが形成されている板材において、
雄実部における雄実の上部には、板材の表面から雄実の基端方向に向かって傾斜する上部傾斜面と、該上部傾斜面の下端から水平に張り出す細幅の張出し部と、該張出し部の先端から雄実の基端に傾斜する下部傾斜面とが形成されており、
雌実部には、上側突条と下側突条とで雌実が形成されており、前記上側突条の上部角部には上向傾斜面が形成されており、該上向傾斜面の下端には、面が下向きの上部下向傾斜面が形成されており、該上部下向傾斜面の下端には細幅の天井面が形成されており、該天井面の端部から前記上側突条の下面に向かって傾斜する下部下向傾斜面が形成されており、
雄実部と雌実部とを実接合したとき、雄実部の上部傾斜面と張出し部とが雌実部の上部下向傾斜面と天井面とにそれぞれ当接するように構成されていることを特徴とする板材。
【請求項２】
雄実部の前記下部傾斜面と雌実部の前記下部下向傾斜面とがほぼ垂直に形成されていることを特徴とする請求項１記載の板材。
【請求項３】
雌実部の前記上向傾斜面が断面略Ｒ形状に形成されているとともに、雄実部の前記上部傾斜面が、断面略Ｒ形状の上側斜面と平面である下側斜面とで構成されていることを特徴とする請求項１または２記載の板材。
【発明の詳細な説明】
【技術分野】
【０００１】
本願発明は、長手部に形成された雄実部と雌実部とを互いに突き合わせて実接合する板材に関するものである。
【背景技術】
【０００２】
従来、図６に示すような、木質基材の左右の長手部に雄実４２と雌実４３が形成されている板材である床材４１はよく知られている。この床材４１は、雄実４２の表面側の基部から釘を打ち込んで床材を床下地に固定し、この固定した床材４１の雄実４２に、別の床材４１の雌実４３を被嵌合することによって床材４１を貼っていく。この床材４１は、雄実４２の上部端面４４と雌実４３の上方の突出部の端面４５とが垂直面に形成されており、上部端面４４と端面４５の上面角部には面取り部４７、４６が形成されている。床材４１、４１が実接合された状態では、垂直面である前記上部端面４４と端面４５が互いに近接しており、面取り部４６、４７によって装飾用の溝４８が床面に形成されるように構成されている（特許文献１）。
【０００３】
図６に示す従来の床材４１、とりわけ無垢の床材を、床暖房用の床材として用いた場合、暖房による加熱によって放湿して乾燥することにより収縮するとともに熱収縮し、床材同士の実接合部に隙間が生じる。実接合部に隙間が生じたとき、図６に示す従来の床材４１は、面取り部４６、４７の下方の上部端面４４と端面４５とが垂直面に形成されていて、面取り部４６、４７と上部端面４４と端面４５との間に角部が形成されているので、その角部によって隙間が目立ち意匠性も悪くなるし、また、その隙間に細かなゴミや埃等が溜まり、奥に入り込むと取り除くのに手間がかかる。さらに、温水床暖房用として用いた場合には収縮がさらに大きくなり、採用するガス会社が推奨する隙間量（真上から観たとき０．５ｍｍ以下の許容量）に収まらないのが実情である。
【０００４】
そこで、図７に示す床材５１は、雄実５２の根元上側から床材表面５１ａまでを雄実上側傾斜面５３とし、雌実５５の上縁部から表面側に雄実上側傾斜面５３に対応した雌実上側傾斜面５６を設け、該雌実上側傾斜面５６と床材表面５１ａとの間に面取り部５７を設ける構成とすることにより、床材５１が収縮して隙間が生じてもその隙間が目立たなくしている（特許文献２）。しかし、図７に示す床材５１は、隙間を小さくすることはできても、隙間を実質的になくすことはできず、また、雌実上側傾斜面５６が長く形成されているので、面取り部５７の近傍に荷重がかかると雌実上側傾斜面５６が形成されている部分が下方に撓み床に段差が生じるおそれがある。
【０００５】
【特許文献１】実開平４−３６０４２号公報
【特許文献２】特許第３６８２４４１号公報
【発明の開示】
【発明が解決しようとする課題】
【０００６】
本発明の目的は、上記のような板材同士を実接合する、従来の板材の不都合を解消することを目的とし、板材が乾燥して収縮して板材間に隙間が生じても、意匠性が悪くならず、その隙間を小さくするとともに、実質的には板材間に隙間ができない板材を提供することである。
【課題を解決するための手段】
【０００７】
本発明は上記課題を解決するためのものであり、本発明は、左右の長手部に雄実部と雌実部とが形成されている板材において、雄実部における雄実の上部には、板材の表面から雄実の基端方向に向かって傾斜する上部傾斜面と、該上部傾斜面の下端から水平に張り出す細幅の張出し部と、該張出し部の先端から雄実の基端に傾斜する下部傾斜面とが形成されており、雌実部には、上側突条と下側突条とで雌実が形成されており、前記上側突条の上部角部には上向傾斜面が形成されており、該上向傾斜面の下端には、面が下向きの上部下向傾斜面が形成されており、該上部下向傾斜面の下端には細幅の天井面が形成されており、該天井面の端部から前記上側突条の下面に向かって傾斜する下部下向傾斜面が形成されており、雄実部と雌実部とを実接合したとき、雄実部の上部傾斜面と張出し部とが雌実部の上部下向傾斜面と天井面とにそれぞれ当接するように構成されていることを特徴とする板材である。
【０００８】
そして、本発明の板材は、乾燥等により収縮し、雄実部の上部傾斜面と雌実部の上部下向傾斜面との間に隙間が生じても、板材間に形成されている装飾用の溝の形状があまり変わらないので、意匠性を損なうことがなく、また、生じた隙間も従来の板材に生じる隙間よりも小さく目立たない。
【０００９】
また、本発明の板材は、床材が収縮しても、雄実部の張出し部と雄実部の天井面とは常に当接しているので、床材間に実質的な隙間が生じることがなく、また、雌実部の上向傾斜面近傍に作用する荷重を張出し部によって支持するので床材間に段差が生じにくい。
【００１０】
さらに、本発明の板材は、雄実部の下部傾斜面と雌実部の下部下向傾斜面とがほぼ垂直に形成されていると、実接合するための雄実部と雌実部を少ない削り代で形成することができ、板材の有効面積を大きくすることができる。
【００１１】
さらに、本発明の板材は、雌実部の上向傾斜面が断面略Ｒ形状に形成されているとともに、雄実部の上部傾斜面が、断面略Ｒ形状の上側斜面と平面である下側斜面とで構成されていると、外観上柔らかみを与え、肌触りのよい板面とすることができる。
【発明の効果】
【００１２】
以上の説明から理解できるように、本発明の床材は、乾燥等により収縮して実接合している板材間に隙間が生じても、板材間に形成されている装飾凹部の形状があまり変わらないので、意匠性を損なうことがなく、また、生じた隙間も従来の板材に生じる隙間よりも小さく目立つことがなく、しかも、実質的な隙間が生じることがない。
【発明を実施するための最良の形態】
【００１３】
以下、本発明の板材の好ましい実施の形態について、図面を参照しながら床材により説明する。図１は本発明の床材を示す一部切欠斜視図、図２は本発明の床材の接合状態を示す部分拡大断面図、図３は本発明の床材が収縮して床材間に隙間が生じたときの接合状態を示す部分拡大断面図である。
【００１４】
図１に示す如く、木質基材で形成された床材１は長手方向の両側端面に、床材１を突き合わせて実接合するための雄実部２と雌実部３とが形成されている。雄実部２には、床材１の厚さ方向のほぼ中央に雄実４が突出して形成されている。また、雄実部２には、床材１の表面１ａから雄実４の基端方向に向かって傾斜する上部傾斜面５が形成されており、この上部傾斜面５の下端には水平に張り出す細幅の張出し部６が形成されている。さらに、張出し部６の先端には、雄実４の基端に傾斜する下部傾斜面７が形成されている。上部傾斜面５は、ほぼ４５度の傾斜角であり、上部傾斜面５における表面１ａ寄りの部分は、床材１、１を実接合したとき装飾用の溝１７を形成する部材として機能している。下部傾斜面７の傾斜角度は上部傾斜面５の傾斜角度と同じでもよいが、傾斜角度を、後記する雌実部３の下部下向傾斜面１５の傾斜角度よりも大きくすると、下部傾斜面７と下部下向傾斜面１５との間に、床材１を固定するための釘の頭部を収容するための空間を形成することができる。張出し部６の幅は、床材１が乾燥して収縮する量を考慮して決められており、通常は１ｍｍ程度あれば、床材１が乾燥して収縮しても張出し部６と雌実部３との間に隙間が生じることはない。
【００１５】
雄実４の下部には、ほぼ垂直面をなす下側端面８が形成されており、下側端面８は雄実４の基部より雄実４の先端側に位置されており、雄実４の基部に釘を、例えば、６５度程度の大きい角度で打ち込んでも雄実４の割れが少なくなり、釘の打ち込み角度の許容範囲を広くすることができる。
【００１６】
雌実部３には、雌実９が上側突条１０と下側突条１１とで形成されている。雌実９の上側突条１０は、その上角部に上向傾斜面１２が形成されており、床材１を実接合したときに、一方の床材１の上向傾斜面１２と他方の床材１における上部傾斜面５とによって装飾用の浅い溝１７が形成されるように構成されている。
【００１７】
また、上向傾斜面１２の下端には、面が下方向きの上部下向傾斜面１３が形成されており、この上部下向傾斜面１３は、床材１、１を実接合したときに雄実部２の上側傾斜面５と当接するように構成されている。上部下向傾斜面１３の下端には、細幅の天井面１４が形成されており、この天井面１４は、床材１、１を実接合したときに雄実部２の張出し部６の上面に常に当接しており、床材１、１間に実質的な隙間が生じないようにするとともに、床材１、１間に上下方向の段差が生じないように作用する。天井面１４の端部には、上側突条１０の下面に向かって傾斜する下部下向傾斜面１５が形成されており、この下部下向傾斜面１５は、床材１、１を実接合したときに雄実部２の下部傾斜面７と対向している。
【００１８】
本発明の床材１は、床材１を実接合したとき雄実部２の上部傾斜面５と雌実部３の上向傾斜面１２とで装飾用の溝１７が形成されるように構成されており、装飾用の溝１７の下部に垂直面が形成されていない。そのため、図６に示した従来の床材４１のように、面取り部４６、４７と垂直面との間に角部が形成されていないので、床材１が収縮して雄実部２の上部傾斜面５と雌実部３の上部下向傾斜面１３との間に隙間が生じても、意匠性を損なうことがなく、また、その隙間も目立ちにくい。すなわち、上方から装飾用の溝１７を見ると、装飾用の溝１７を形成している上部傾斜面５と上向傾斜面１２とを見ることになり、隙間が生じても新たな面が出現しないので、意匠性が悪くなることがない。また、例えば、図３に示すように、床材１、１が水平方向に１ｍｍ収縮し、雄実部２の下部傾斜面７と雌実部３の下部下向傾斜面１５との間に水平方向の隙間Ｈが１ｍｍ生じたとしても、雄実部２の上部傾斜面５と雌実部３の上部下向傾斜面１３との間隔ｈは、０．８８ｍｍとなり、床材１、１が収縮した量よりも床材１、１間に生じる隙間を小さくすることができ、隙間を一層目立たなくすることができるし、その隙間に溜まった細かなゴミや埃等が奥に入り込みにくい。さらに、床材１、１が収縮しても、雄実部２の張出し部６と雌実部３の天井面１４とは常に当接しているので、床材１、１間に実質的は隙間が生じることがなく、また、雌実部３の上向傾斜面１２近傍に作用する荷重を張出し部６によって支持するので床材１、１間に段差が生じにくい。
【００１９】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、雄実部２の下部傾斜面７をほぼ垂直に形成してもよいし、さらに、図４に示すように面が下方向を向くように形成してもよい。そのように形成すると、雄実部２の下部傾斜面７を図３のように形成したものでは、幅Ｗの基材部分を切削加工しなければ雄実部２を形成することができないが、図４に示すものでは、幅ｗの基材部分を切削加工すれば雄実部２を形成することができ、少ない削り代で雄実部２を形成することができる。同様に、雌実部３の下部下向傾斜面１５をほぼ垂直に形成してもよく、下部下向傾斜面１５をほぼ垂直に形成すると、雌実部を形成するための削り代を少なくすることができる。また、図４に示すように、雄実部２の下部傾斜面７と雌実部３の下部下向傾斜面１５をほぼ垂直に形成すると、湿度の高い状態が続く梅雨時に、木質基材である床材１が膨潤化しても、雌実部３の上部下向傾斜面１３が雄実部２の上部傾斜面５に沿ってせり上がることがないので、床材１、１間に段差を生じない。
【００２０】
また、上記実施の形態では雄実部２の上部傾斜面５と雌実部３の上向傾斜面１２とが平面で形成されているが、図５に示すように、雌実部３の上向傾斜面１２を断面略Ｒ形状の面１２ａとし、雄実部２の上部傾斜面５を、装飾用の溝１７として機能する上側部分５ａを断面略Ｒ形状とし、それより下方の下側部分５ｂを平面で構成すると、外観上柔らかみを与え、肌触りのよい床材とすることができる。
【００２１】
本発明は、上記実施の形態では床材について説明したが、両側端部に雄実部と雌実部が形成されていて実接合するものであれば、天井板や壁材等の板材であってもよいことはもちろんである。また、板材は、無垢の板材や台板合板の表面に薄いＭＤＦやひき板を積層して接着したものであってもよい。
【図面の簡単な説明】
【００２２】
【図１】本発明の一形態の床材を示す一部切欠斜視図。
【図２】上記床材の接合状態を示す部分拡大断面図。
【図３】上記床材が収縮して隙間が生じたときの接合状態を示す部分拡大断面図。
【図４】本発明の他の形態の床材の接合状態を示す部分拡大断面図。
【図５】本発明の他の形態の床材の接合状態を示す部分拡大断面図。
【図６】従来例の床材の接合状態を示す部分拡大断面図。
【図７】従来例の床材の接合状態を示す部分拡大断面図。
【符号の説明】
【００２３】
１…床材、２…雄実部、３…雌実部、４…雄実、５…上部傾斜面、６…張出し部、７…下部傾斜面、８…下側端面、９…雌実、１０…上側突条、１１…下側突条、１２…上向傾斜面、１３…上部下向傾斜面、１４…天井面、１５…下部下向傾斜面、１７…装飾用の溝
【図１】
2007154419.tif 000003
【図２】
2007154419.tif 000004
【図３】
2007154419.tif 000005
【図４】
2007154419.tif 000006
【図５】
2007154419.tif 000007
【図６】
2007154419.tif 000008
【図７】
2007154419.tif 000009